Podtech/llm-jp-corpus-v4-ja_patent huggingface dataset:
【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
イオン交換剤に結合している１またはそれ以上の活性物質を含む医薬製剤であって、担持されたイオン交換剤が、１またはそれ以上の擬塑性ゲル形成剤を含む担体媒体中に分散していることを特徴とする、医薬製剤。
【請求項２】
擬塑性ゲル形成剤として、ポリアクリル酸、キサンタン、微結晶性セルロース、セルロースエーテル、ベントナイト、高分散シリカまたは上記のゲル形成剤の混合物を含むことを特徴とする、請求項１に記載の医薬製剤。
【請求項３】
イオン交換剤に結合している活性物質がキノロン抗生物質であることを特徴とする、請求項１に記載の医薬製剤。
【請求項４】
イオン交換剤に結合している活性物質がプラドフロキサシンであることを特徴とする、請求項１に記載の医薬製剤。
【請求項５】
イオン交換剤に結合している活性物質がエンロフロキサシンであることを特徴とする、請求項１に記載の医薬製剤。
【請求項６】
経口投与のための請求項１に記載の医薬製剤の使用。
【請求項７】
動物に経口投与可能な医薬として使用するための液状懸濁物の特性を改良するための、擬塑性ゲル形成剤の使用。
【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
P-セレクチンに対し親和性及び/又は選択性を有する、以下の式Iaによって表される化合物、
【化１】
2006503876.tif 000001
又は以下の式Ibによって表される前記化合物の立体異性体：
【化２】
2006503876.tif 000002
（式中、
Xは、任意の基であって、-O-、-OCH2-、-S-、-SCH2-、-NH-又は-NHCH2-を表し；
R1はQR4を表し、このときQは-O-、-NH-、-NH-(C=O)-、-O-(C=O)-、-NH-(C=O)-O-又は-NH-(C=O)-NH-を表し、かつR4はアルキル基、芳香族基、又は電子求引基を含む基を表し；
R2は、少なくとも一価の負電荷を有する置換基であって、リン酸基、ホスホン酸基、カルボキシル基、スルホン酸基を含む置換基から選ばれる；
R3は、OH又はYR5を表し、このときYは-O-、-CH2-又は-NH-であり、かつR5は少なくとも一つの炭素原子を含む）。
【請求項２】
Xが存在しないか又は-O-を表す、請求項１記載の化合物。
【請求項３】
Qが-NH-(C=O)-を表す、請求項１又は２に記載の化合物。
【請求項４】
R2がリン酸基であるか又はリン酸基を含む基である、請求項１〜３のいずれか１項に記載の化合物。
【請求項５】
R3がOHを表す、請求項１〜４のいずれか１項に記載の化合物。
【請求項６】
R4が、アルキル基、
任意に置換されていてもよいフェニル基、ナフチル基、クレシル基、トリル基、アントラシル基、フェナンチリル基、ピリジル基、ピラジル基、ピリダジル基又はキノリル基である芳香族基、又は
ニトロ、-(C=O)-アルキル、シアノニトリル、-SO3H、CCl3又はCF3からなる基より選択される電子求引基を含む基である、請求項１〜５のいずれか１項に記載の化合物。
【請求項７】
R4がフェニル基又はナフタレン基である、請求項６記載の化合物。
【請求項８】
P-セレクチンに対し親和性及び/又は選択性を有する、以下の式Iaによって表される化合物、
【化３】
2006503876.tif 000003
又は以下の式Ibによって表される前記化合物の立体異性体：
【化４】
2006503876.tif 000004
（式中、
Xは、任意の基であって、-O-、-OCH2-、-S-、-SCH2-、-NH-又は-NHCH2-を表し；
R1はQR4を表し、このときQは-O-、-NH-、-NH-(C=O)-、-O-(C=O)-、-NH-(C=O)-O-又は-NH-(C=O)-NH-を表し、かつR4はアルキル基、芳香族基、又は電子求引基を含む基を表し；
R2は、少なくとも一価の負電荷を有する置換基であって、リン酸基、ホスホン酸基、カルボキシル基、スルホン酸基を含む置換基から選ばれる；
R3は、OH又はYR5を表し、このときYは-O-、-CH2-又は-NH-であり、かつR5は少なくとも一つの炭素原子を含む、又は
R3が、該化合物をコロイド状又は微粒子状の薬物担体に固定し得るアンカー基を表す）。
【請求項９】
アンカー部分が、P-セレクチンに対する親和性を有するペプチド又はペプチド模倣部分である、請求項８記載の化合物。
【請求項１０】
請求項１〜７のいずれか１項に記載の化合物を含有する診断用組成物又は医薬組成物。
【請求項１１】
請求項１〜７のいずれか１項に記載の化合物を含有するP-セレクチンに対するアンタゴナイザー。
【請求項１２】
請求項１〜７のいずれか１項に記載の化合物を含有する、P-セレクチンを発現している細胞又は組織へ医薬的に有効な化合物を送達するターゲッティング薬。
【請求項１３】
P-セレクチンの活性化又は過剰発現に関係する疾患又は状態を診断、予防又は抑制するための医薬品の製造における、請求項１〜７のいずれか１項に記載の化合物の使用。
【請求項１４】
医薬として許容される担体中に、請求項１〜７のいずれか１項に記載の化合物、その誘導体、その塩、その複合体、その溶媒和物又はその多量体を含む、医薬組成物。
【請求項１５】
ある化合物がP-セレクチン又はP-セレクチンの機能的等価物に対して結合し得るかどうかを決定する方法であって、
被験化合物及び所定量の請求項１〜７のいずれか１項に記載の化合物を、所定量のP-セレクチン又はP-セレクチンの機能的等価物と接触させること、及びそれらを一緒にインキュベートすること；及び
続いて請求項１〜７のいずれか１項に記載の化合物の量を決定すること；
を含む前記方法。
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
HIVに対する侵入阻害剤及び融合阻害剤を含む組成物であって、該侵入阻害剤が抗CD4抗体、抗HIV gp120抗体、若しくは抗ケモカイン補助受容体抗体、又はその結合性断片である組成物。
【請求項２】
前記侵入阻害剤が5A8のような抗CD4抗体又はその結合性断片である請求項１記載の組成物。
【請求項３】
前記侵入阻害剤が抗CCR5抗体又はその結合性断片である請求項１記載の組成物。
【請求項４】
前記侵入阻害剤が抗CXCR4抗体又はその結合性断片である請求項１記載の組成物。
【請求項５】
前記融合阻害剤が抗gp41抗体又はその結合性断片である請求項１記載の組成物。
【請求項６】
前記融合阻害剤が、３０〜５０アミノ酸を有しgp41と相互作用できるポリペプチドである請求項１記載の組成物。
【請求項７】
前記融合阻害剤がT-1249、T-649、5-Helix、ペンタフシド（pentafuside）、又はそれらと機能的に均等なペプチドである請求項６記載の組成物。
【請求項８】
前記融合阻害剤がペンタフシド又はそれと機能的に均等なペプチドである請求項７記載の組成物。
【請求項９】
インテグラーゼ阻害剤、ヌクレオシド逆転写酵素阻害剤、非ヌクレオシド逆転写酵素阻害剤及びHIVプロテアーゼ阻害剤から成る群より選ばれる少なくとも１つの他の薬剤をさらに含む請求項１記載の組成物。
【請求項１０】
請求項１ないし９のいずれか１項の組成物を含む、ヒト免疫不全ウイルス１型（「HIV-1」）による標的細胞の感染の治療又は予防剤。
【請求項１１】
請求項１ないし９のいずれか１項の組成物を相乗作用する量で含む、ヒト免疫不全ウイルス１型（「HIV-1」）による標的細胞の感染の治療又は予防剤。
【請求項１２】
請求項１ないし９のいずれか１項の組成物を含む、後天性免疫不全症候群（「AIDS」）の予防又は治療剤。
【請求項１３】
単一包装内の別々の容器中に、２以上の侵入阻害剤及び融合阻害剤の組み合わせを含んだ製品であって、前記侵入阻害剤が抗CD4抗体及び／又はCCR5若しくはCXCR4を拘束する抗ケモカイン補助受容体抗体である製品。
【請求項１４】
前記侵入阻害剤が抗CD4抗体、抗CXCR4抗体及び／又は抗CCR5抗体であり、前記融合阻害剤がT-1249、T-649、5-Helix、ペンタフシド及び／又はそれらと機能的に均等なペプチドである、請求項１３記載の製品。
【請求項１５】
前記侵入阻害剤がヒト化抗CD4抗体5A8である請求項１３記載の製品。
【請求項１６】
標的細胞のHIV-1感染の阻害若しくは防止のために又はAIDSの予防若しくは治療のために有用な他の薬剤をさらに含む請求項１３記載の製品。
【請求項１７】
前記薬剤がインテグラーゼ、転写酵素阻害剤、又はプロテアーゼ阻害剤である請求項１６記載の製品。
【誤訳訂正書】
【提出日】平成18年3月23日(2006.3.23)
【誤訳訂正１】
【訂正対象書類名】特許請求の範囲
【訂正対象項目名】全文
【訂正方法】変更
【訂正の内容】
【特許請求の範囲】
【請求項１】
式（Ｉ）：
【化１】
2006503845.tif 000001
［式中、
Ｙは置換されていないかまたは１、２もしくは３個の置換基で置換されているフェニルであり；
Ｒ1は水素、Ｃ1-6アルキル、Ｃ3-6シクロアルキル、またはハロ置換Ｃ1-6アルキルから選択され；
Ｒ2は(ＣＨ2)mＲ3（ここで、ｍは０または１である）であるか；または
Ｒ1およびＲ2はそれらが結合しているＮと一緒になって置換されていてもよい４員〜８員非芳香族ヘテロサイクリル環を形成し；
Ｒ3は４員〜８員非芳香族ヘテロサイクリル基、Ｃ3-8シクロアルキル基、直鎖もしくは分枝鎖状Ｃ1-10アルキル、Ｃ2-10アルケニル、Ｃ3-8シクロアルケニル、Ｃ2-10アルキニル、またはＣ3-8シクロアルキニル（これらはいずれも置換されていないかまたは置換されていてもよい）であるか、またはＲ5であり；
Ｒ4は水素、Ｃ1-6アルキル、Ｃ3-6シクロアルキル、またはハロ置換Ｃ1-6アルキル、ＣＯＣＨ3、またはＳＯ2Ｍｅから選択され；
Ｒ5は
【化２】
2006503845.tif 000002
（ここで、ｐは０、１または２であり、ＸはＣＨ2、Ｏ、またはＳである）であり；
Ｒ6は置換もしくは非置換(Ｃ1-6)アルキルまたはクロロであり、Ｒ10は水素であるか、またはＲ10は置換もしくは非置換(Ｃ1-6)アルキルまたはクロロであり、Ｒ6は水素であり；
Ｒ7はＯＨ、Ｃ1-6アルコキシ、ＮＲ8aＲ8b、ＮＨＣＯＲ9、ＮＨＳＯ2Ｒ9またはＳＯqＲ9であり；
Ｒ8aはＨまたはＣ1-6アルキルであり；
Ｒ8bはＨまたはＣ1-6アルキルであり；
Ｒ9はＣ1-6アルキルであり；
ｑは０、１または２である］
で示される化合物またはその医薬上許容される誘導体。
【請求項２】
式（Ｉａ）：
【化３】
2006503845.tif 000003
［式中、
Ｒ1は水素、Ｃ1-6アルキル、Ｃ3-6シクロアルキル、またはハロ置換Ｃ1-6アルキルから選択され；
Ｒ2は(ＣＨ2)mＲ3（ここで、ｍは０または１である）であるか；または
Ｒ1およびＲ2はそれらが結合しているＮと一緒になって、アゼチジニル、ピロリジニル、モルホリニル、ピペラジニル、ピペリジニル、テトラヒドロピリジニル、アザピン、オキサピン、アザシクロオクタニル、アザオキサシクロオクタニルおよびアザチアシクロオクタニル（これらはいずれも置換されていないかまたはＣ1-6アルキル、Ｃ1-6アルコキシ、ヒドロキシ、シアノ、ハロ、スルホニル、メチルスルホニル、ＮＲ8aＲ8b、ＣＨ2フェニル、ＮＨＣＯＣＨ3、(＝Ｏ）、ＣＯＮＨＣＨ3およびＮＨＳＯ2ＣＨ3から選択される１、２または３個の置換基で置換されていてもよい）から選択される非芳香族ヘテロサイクリル環を形成し；
Ｒ3は２−もしくは３−アゼチジニル、オキセタニル、チオオキセタニル、チオオキセタニル−ｓ−オキシド、チオオキセタニル−ｓ,ｓ−ジオキシド、ジオキサアラニル、ピロリジニル、テトラヒドロフラニル、テトラヒドロチオフェニル、テトラヒドロチオフェニル−ｓ,ｓ−ジオキシド、モルホリニル、ピペリジニル、ピペラジニル、テトラヒドロピラニル、テトラヒドロチオピラニル、チオモルホリニル、チオモルホリニル−ｓ,ｓ−ジオキシド、テトラヒドロピリジニル、ジオキサニル、テトラヒドロ−チオピラン−１,１−ジオキシド、アザピン、オキサピン、アザシクロオクタニル、アザオキサシクロオクタニル、アザチアシクロオクタニル、オキサシクロオクタニル、チアシクロオクタニル、Ｃ3−8シクロアルキル基、直鎖もしくは分枝鎖状Ｃ1−10アルキル、Ｃ2−10アルケニル、Ｃ3−8シクロアルケニル、Ｃ2−10アルキニル、またはＣ3−8シクロアルキニルであるか、またはＲ5であり；これらはいずれも置換されていないかまたはＣ1−6アルキル、Ｃ1−6アルコキシ、ヒドロキシ、シアノ、ハロ、スルホニル、メチルスルホニル、ＮＲ8aＲ8b、ＣＨ2フェニル、ＮＨＣＯＣＨ3、(＝Ｏ）、ＣＯＮＨＣＨ3およびＮＨＳＯ2ＣＨ3から選択される１、２または３個の置換基で置換されていてもよく；
Ｒ4は水素、Ｃ1−6アルキル、Ｃ3−6シクロアルキル、またはハロ置換Ｃ1−6アルキル、ＣＯＣＨ3、またはＳＯ2Ｍｅから選択され；
Ｒ5は
【化４】
2006503845.tif 000004
（ここで、ｐは０、１または２であり、ＸはＣＨ2、ＯまたはＳである）であり；
Ｒ6は置換もしくは非置換(Ｃ1−6)アルキルまたはクロロであり、Ｒ10は水素であるか、またはＲ10は置換もしくは非置換(Ｃ1−6)アルキルまたはクロロであり、Ｒ6は水素であり；
Ｒ7はＯＨ、Ｃ1−6アルコキシ、ＮＲ8aＲ8b、ＮＨＣＯＲ9、ＮＨＳＯ2Ｒ9またはＳＯqＲ9であり；
Ｒ8aはＨまたはＣ1−6アルキルであり；
Ｒ8bはＨまたはＣ1−6アルキルであり；
Ｒ9はＣ1−6アルキルであり；
Ｒ11はＣ1−6アルキル、ハロ置換Ｃ1−6アルキル、Ｃ1−6アルコキシ、ヒドロキシ、シアノ、ハロ、Ｃ1−6アルキルスルホニル基、−ＣＯＮＨ2、−ＮＨＣＯＣＨ3、−ＣＯＯＨ、ハロ置換Ｃ1−6アルコキシ、ＳＯ2ＮＲ8aＲ8bまたはＣ1−6アルキニルであり；
ｑは０、１または２であり；
ｄは０、１、２、または３である」
で示される化合物またはその医薬上許容される誘導体である請求項１記載の化合物。
【請求項３】
Ｒ1が水素である、請求項１または２記載の化合物。
【請求項４】
Ｒ4がＣ1-6アルキルまたは水素である、請求項１〜３いずれか１項記載の化合物。
【請求項５】
Ｒ6がｔ−ブチル、イソプロピルまたはＣＦ3である、請求項１〜４いずれか１項記載の化合物。
【請求項６】
請求項１〜５いずれか１項記載の化合物またはその医薬上許容される誘導体を含む医薬組成物。
【請求項７】
さらに、医薬担体または希釈剤を含む、請求項６記載の医薬組成物。
【請求項８】
カンナビノイド２受容体の活性により媒介される症状の治療のための薬剤の製造のための請求項１〜５いずれか１項記載の式（Ｉ）で示される化合物またはその医薬上許容される誘導体の治療上有効量の使用。
【請求項９】
症状が免疫障害、炎症性障害、疼痛、関節リウマチ、多発性硬化症、変形性関節症または骨粗鬆症である、請求項８記載の使用。
【誤訳訂正２】
【訂正対象書類名】明細書
【訂正対象項目名】０１９８
【訂正方法】変更
【訂正の内容】
【０１９８】
【表２−１】
2006503845.tif 000005
【表２−２】
2006503845.tif 000006
【表２−３】
2006503845.tif 000007
【表２−４】
2006503845.tif 000008
【表２−５】
2006503845.tif 000009
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
下記式Ｉ：
【化１】
2006503850.tif 000001
（式中、Ｒは、Ｃ1〜6アルキルである）
を有する化合物又はその医薬的に許容可能な塩。
【請求項２】
Ｒが、Ｃ1〜4アルキルである、請求項１に記載の化合物。
【請求項３】
Ｒが、メチル又はエチルである、請求項２に記載の化合物。
【請求項４】
前記化合物が、N-メチルヒドロモルホン又はその医薬的に許容可能な塩である、請求項１に記載の化合物。
【請求項５】
前記化合物が、ヒドロモルホンメチオダイドである、請求項４に記載の化合物。
【請求項６】
請求項１から５のいずれか一項に記載の１若しくはそれ以上の化合物、及び医薬的に許容可能な担体又は希釈剤を含む医薬組成物。
【請求項７】
約5mg〜約350mgの前記１又はそれ以上の化合物を含む、請求項６に記載の組成物。
【請求項８】
μオピオイド受容体の興奮に反応する疾患に罹患している哺乳動物の治療のために、当該治療が必要な哺乳動物に有効量の請求項１〜５のいずれか一項に記載の化合物が投与されることを特徴とする、μオピオイド受容体の興奮に反応する疾患の治療剤。
【請求項９】
疼痛に罹患している哺乳動物において疼痛を治療、改善又は予防するために、当該治療が必要な哺乳動物に有効量の請求項１〜５のいずれか一項に記載の化合物が投与されることを特徴とする、疼痛の治療、改善又は予防剤。
【請求項１０】
慢性疼痛を治療、予防又は改善するためのものである、請求項９に記載の治療剤。
【請求項１１】
当該化合物、又は等量のその医薬的に許容可能な塩が、治療を受ける哺乳動物の体重あたり約0.1〜約5mg/kgの用量で、４時間ごとに経口投与されることを特徴とする、請求項９又は請求項１０に記載の治療剤。
【手続補正書】
【提出日】平成18年9月26日(2006.9.26)
【手続補正１】
【補正対象書類名】明細書
【補正対象項目名】０００６
【補正方法】変更
【補正の内容】
【０００６】
好ましくは、１２％までのカフェインを含むPaullinia cupanaの乾燥抽出物を使用する。
本発明の好ましい実施態様においては、Panax ginseng抽出物対Guarana抽出物の質量比は、１：１０〜１０：１、好ましくは１：５〜２：１、特には１：３〜１：１の範囲にあり、及び最も好ましくは約１：１．９である。
好ましくは、本発明は、前記組成物が、更に、
（iii）１種又は２種以上のビタミン；及び
（iv）１種又は２種以上のミネラル及び／又は微量元素
を含む方法に関し、特には、ここで、前記１種又は２種以上のビタミン（iii）が、プロビタミンＡ、ビタミンＢ１、ビタミンＢ２、ビタミンＢ６、ビタミンＢ１２、ビタミンＣ、ビタミンＤ３、ｄ，ｌ−α−酢酸トコフェロール（ビタミンＥ）、葉酸、ビオチン（ビタミンＨ）及びビタミンＰＰからなる群より選ばれ；及び／又は
ここで、前記１種又は２種以上のミネラル及び／又は微量元素（iv）が、銅、カルシウム、鉄、亜鉛、セレン、リン及びマグネシウムからなる群より選ばれる。
好ましくは、本発明の医薬組成物又は栄養補助剤は、本質的に、
（i）２０〜１００ｍｇ、好ましくは２０〜６０ｍｇの植物Panax ginseng抽出物；
（ii）５０〜１００ｍｇの植物Paullinia cupana抽出物；
（iii）０．００１〜１２０ｍｇの１種又は２種以上の、好ましくは２〜１２種の、特には５〜１１種のビタミン；
（iv）０．０１〜４００ｍｇの１種又は２種以上の、好ましくは２〜１０種の、特には４〜７種のミネラル及び／又は微量元素；及び
（v）場合により、キャリヤ及び／又はアジュバント
からなる。
【手続補正２】
【補正対象書類名】明細書
【補正対象項目名】０００７
【補正方法】変更
【補正の内容】
【０００７】
最も好ましくは、医薬組成物又は栄養補助剤は、本質的に、
３０〜５０ｍｇ、特には約４０ｍｇの標準化Panax ginseng抽出物Ｇ１１５、
６０〜９０ｍｇ、特には約７５ｍｇのPaullinia cupana抽出物であって、１２質量％までのカフェインを含むもの、
１０００〜１２００ＩＵ、特には約１１００ＩＵのプロビタミンＡ（ビタミンＡ活性）、
１．０〜２．０ｍｇ、特には約１．４ｍｇのビタミンＢ１、
１．０〜２．０ｍｇ、特には約１．６ｍｇのビタミンＢ２、
１．０〜３．０ｍｇ、特には約２．０ｍｇのビタミンＢ６、
０．５〜２．０μｇ、好ましくは１．０〜２．０μｇ、特には約１．０μｇのビタミンＢ１２、
１０〜１００ｍｇ、特には約６０ｍｇのビタミンＣ、
５０〜３００ＩＵ、特には約１６０ＩＵのビタミンＤ３、
１０〜２０ｍｇ、特には約１５ｍｇのｄ，ｌ−α−酢酸トコフェロール（Ｖｉｔ．Ｅ）、
１００〜３００μｇ、特には約２００μｇの葉酸、
１００〜２００μｇ、特には約１５０μｇのビオチン、
１０〜３０ｍｇ、特には約１８ｍｇのビタミンＰＰ、
０．１〜１．０ｍｇ、特には約０．５ｍｇの銅、
０〜１５０ｍｇ、特には０又は約１２０ｍｇのカルシウム、
１〜１０ｍｇ、特には約５ｍｇの鉄、
１〜１０ｍｇ、特には約５ｍｇの亜鉛、
０〜１５０ｍｇ、特には０又は約９０ｍｇのリン、
１０〜１５０μｇ、好ましくは５０〜１５０μｇ、特には約３０μｇのセレン、
５〜１００ｍｇ、特には約１０〜７０ｍｇのマグネシウム、
及び場合により、キャリヤ及び／又はアジュバント
からなる。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
細菌から外膜小胞調製物を製造するためのプロセスであって、該細菌膜は、デオキシコール酸界面活性剤の非存在下で実質的に破壊される、プロセス。
【請求項２】
請求項１に記載のプロセスであって、前記細菌膜は、あらゆる界面活性剤の非存在下で実質的に破壊される、プロセス。
【請求項３】
請求項１または２に記載のプロセスであって、該プロセスは、以下の基本工程：
（ａ）界面活性剤の実質的な非存在下で細菌細胞を処理する工程；
（ｂ）工程（ａ）からの組成物を遠心分離して、処理した細胞および細胞破片から外膜小胞を分離し、そして上清を収集する工程；
（ｃ）工程（ｂ）からの上清の高速遠心分離を実施し、そして該外膜小胞をペレット中に収集する工程；
（ｄ）工程（ｃ）からのペレットを緩衝液中に再分散させる工程；
（ｅ）工程（ｃ）に従って第２回目の高速遠心分離を実施し、該外膜小胞をペレット中に収集する工程；
（ｆ）工程（ｅ）からのペレットを水性媒体中に再分散させる工程；
を包含する、プロセス。
【請求項４】
請求項３に記載のプロセスであって、該プロセスは、以下の工程：
（ｇ）工程（ｆ）からの再分散された組成物を、漸減する孔径の少なくとも２つのフィルターを通して滅菌濾過する工程；および
（ｈ）必要に応じて、工程（ｇ）からの組成物を、薬学的に受容可能なキャリアおよび／またはアジュバント組成物中に含める工程；
をさらに包含する、プロセス。
【請求項５】
請求項３または請求項４に記載のプロセスであって、
工程（ｂ）は、約５０００ｇ〜１００００ｇにて１時間までの遠心分離を含み、
工程（ｃ）および（ｅ）は、約３５０００ｇ〜１０００００ｇにて２時間までの遠心分離を含む、
プロセス。
【請求項６】
請求項１〜５のうちのいずれか１項に記載のプロセスであって、膜破壊が、超音波処理、ホモジナイゼーション、マイクロフルイダイゼーション、キャビテーション、浸透圧性ショック、粉砕、フレンチプレス、混合、または他の任意の物理的技術による、プロセス。
【請求項７】
請求項１〜６のうちのいずれか１項に記載のプロセスであって、工程（ｄ）および／または工程（ｆ）において使用される緩衝液は、Ｔｒｉｓ緩衝液、リン酸緩衝液、またはヒスチジン緩衝液である、プロセス。
【請求項８】
請求項５〜７のうちのいずれか１項に記載のプロセスであって、工程（ｇ）は、孔径約０．２μｍのフィルターを用いて終了する、プロセス。
【請求項９】
請求項１〜８のうちのいずれか１項に記載のプロセスであって、外膜小胞が調製される細菌は、Ｍｏｒａｘｅｌｌａ属、Ｓｈｉｇｅｌｌａ属、Ｐｓｅｕｄｏｍｏｎａｓ属、Ｔｒｅｐｏｎｅｍａ属、Ｐｏｒｐｈｙｒｏｍｏｎａｓ属、Ｈｅｌｉｃｏｂａｃｔｅｒ属またはＮｅｉｓｓｅｒｉａ属に由来する、プロセス。
【請求項１０】
請求項９に記載のプロセスであって、前記細菌は、Ｎ．ｍｅｎｉｎｇｉｔｉｄｉｓまたはＮ．ｇｏｎｏｒｒｈｏｅａｅである、プロセス。
【請求項１１】
請求項１０に記載のプロセスであって、前記Ｎ．ｍｅｎｉｎｇｉｔｉｄｉｓは、血清群Ｂに由来する、プロセス。
【請求項１２】
請求項１〜１１のうちのいずれか１項に記載のプロセスであって、該プロセスは、
免疫学的に有効な量の前記外膜小胞を、免疫原性組成物として処方する工程
をさらに包含する、プロセス。
【請求項１３】
請求項１〜１２のうちのいずれか１項に記載のプロセスによって入手可能な、外膜小胞組成物。
【請求項１４】
Ｎｅｉｓｓｅｒｉａ  ｍｅｎｉｎｇｉｔｉｄｉｓ小胞組成物であって、該小胞は、（ｉ）ＮｓｐＡタンパク質、（ｉｉ）「２８７」タンパク質、および（ｉｉｉ）「７４１」タンパク質を含むことを特徴とする、組成物。
【請求項１５】
請求項１３または請求項１４に記載の組成物であって、前記組成物は、滅菌されており、かつ／または発熱物質を含まず、かつ／またはｐＨ６．０とｐＨ７．０との間のｐＨにて緩衝化されている、組成物。
【請求項１６】
医薬として使用するための、請求項１３〜１５のうちのいずれか１項に記載の組成物。
【請求項１７】
患者において免疫応答を惹起するための医薬の製造における、請求項１３〜１５のうちのいずれか１項に記載の外膜小胞の使用。
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
情報信号をフィルタリングする方法であって、当該方法は、所望のフィルタ応答に応じて前記情報信号の周波数領域成分を修正するステップを有し、周波数領域成分を修正する当該ステップは、更に、第１の実際のフィルタ応答に応じて前記情報信号の第１のフレームの周波数領域成分を修正するステップを有し、前記第１の実際のフィルタ応答は、前記所望のフィルタ応答と、前記情報信号の前のフレームに関連する情報との関数である、方法。
【請求項２】
請求項１に記載の方法において、更に、
−情報信号を多くの信号フレームに分割するステップと、
−前記信号フレームを変換してそれぞれの前記信号フレームの周波数領域成分を得るステップと、
−前記修正された周波数領域成分を逆変換してフィルタリングされた信号フレームを得るステップと、
−前記フィルタリングされた信号フレームの再結合操作を実行してフィルタリングされた情報信号を得るステップと、
を有する方法。
【請求項３】
請求項２に記載の方法において、前記所望のフィルタ応答と前のフレームに関連する情報との前記関数は、再結合操作を実行する前記ステップによって導入されるアーチファクトを低減するように選択される、方法。
【請求項４】
請求項２に記載の方法において、前記再結合操作は、重複加算操作を有する、方法。
【請求項５】
請求項１に記載の方法において、前のフレームに関連する前記情報は、前記実際のフィルタ応答と前記情報信号の前のフレームの所望のフィルタ応答とのうちの少なくとも１つを有する、方法。
【請求項６】
請求項１に記載の方法において、第１のフレームの周波数領域成分を修正する前記ステップは、更に、
−前記第１のフレームのための所望のフィルタ応答を決定するステップと、
−前記第１のフレームのための前記第１の実際のフィルタ応答を、前記所望のフィルタ応答と、前記情報信号の前のフレームに関連する少なくとも第２のフィルタ応答との関数として決定するステップと、
−前記決定された実際の第１のフィルタ応答を前記第１のフレームに適用して、前記第１のフレームの修正された周波数領域成分を得るステップと、
を有する、方法。
【請求項７】
請求項６に記載の方法において、前記第１の実際のフィルタ応答を決定する前記ステップは、
−前記第１のフレームのための前記所望のフィルタ応答の周波数成分と、前のフレームの前記フィルタ応答の対応する周波数成分との位相差を決定するステップと、
−前記決定された位相差の関数として、所望の位相変化を決定するステップと、
−前記第１の実際のフィルタ応答の周波数成分を、前記決定された所望の位相変化を有する位相変化係数によって修正された前のフレームの前記フィルタ応答の前記対応する周波数成分として決定するステップと、
を有する、方法。
【請求項８】
請求項７に記載の方法において、前記決定された位相差の前記関数は、前記位相差を所定の閾値よりも小さくなるよう制限するカットオフ関数である、方法。
【請求項９】
請求項６に記載の方法において、前記所望のフィルタ応答と前のフレームに関連する情報との前記関数は、前記フィルタ応答の位相変化を低減するように選択される、方法。
【請求項１０】
請求項９に記載の方法において、前記フィルタ応答の位相変化の前記低減は、トーナリティの大きさに依存するようにされる、方法。
【請求項１１】
請求項１に記載の方法において、前記情報信号はオーディオ信号である、方法。
【請求項１２】
情報信号をフィルタリングするための装置であって、当該装置は、所望のフィルタ応答に応じて前記情報信号の周波数領域成分を修正するための手段を有し、前記情報信号の周波数領域成分を修正するための前記手段は、第１の実際のフィルタ応答に応じて前記情報信号の第１のフレームの周波数領域成分を修正するための手段を有し、前記第１の実際のフィルタ応答は、前記所望のフィルタ応答と、前記情報信号の前のフレームに関連する情報との関数である、装置。
【請求項１３】
情報信号をフィルタリングするための装置を有する電子デバイスであって、前記装置は、所望のフィルタ応答に応じて前記情報信号の周波数領域成分を修正するための手段を有し、前記情報信号の周波数領域成分を修正するための前記手段は、第１の実際のフィルタ応答に応じて前記情報信号の第１のフレームの周波数領域成分を修正するための手段を有し、前記第１の実際のフィルタ応答は、前記所望のフィルタ応答と、前記情報信号の前のフレームに関連する情報との関数である、電子デバイス。
【請求項１４】
情報信号をフィルタリングする方法によって生成されるフィルタリングされた情報信号が記憶された記憶媒体であって、前記方法は、所望のフィルタ応答に応じて前記情報信号の周波数領域成分を修正するステップを有し、周波数領域成分を修正する当該ステップは、更に、第１の実際のフィルタ応答に応じて前記情報信号の第１のフレームの周波数領域成分を修正するステップを有し、前記第１の実際のフィルタ応答は、前記所望のフィルタ応答と、前記情報信号の前のフレームに関連する情報との関数である、記憶媒体。
【手続補正書】
【提出日】平成18年9月22日(2006.9.22)
【手続補正１】
【補正対象書類名】明細書
【補正対象項目名】００３１
【補正方法】変更
【補正の内容】
【００３１】
図１は、切替可能なＬＣセル（９）の両側に４つの個々の補償フィルム、好ましくは、二つの平面Ａプレート（１、８）および（４、５）、好ましくはスプレイＯプレートである一つのＯプレート（３、６）および一つの負のＣプレート（２、７）を含むカラミティックＬＣフィルムを有する本発明の好ましい態様の補償板を含むＯＣＢディスプレイを例示的に表したものである。ＬＣセルおよび補償板は二つの直線偏光子（１０、１１）によって挟まれている。
【手続補正２】
【補正対象書類名】明細書
【補正対象項目名】００３３
【補正方法】変更
【補正の内容】
【００３３】
負のＣプレート（２、７）および外側平面Ａプレート（１、８）は類似の光学性能を有する単一の２軸フィルムへと一体化することができる。しかしながら、他のフィルムおよび／またはＬＣセルで類似の散乱を有するカラミティックＬＣ材料の使用を可能とするためには、これらのフィルムは、好ましくは別々の１軸のリターダーとして維持される。
本発明の可能であって好ましい補償板のすべての構造では、外側平面Ａプレート（１、８）は、好ましくは偏光子透過方向に沿って光軸を有する偏光子（１０、１１）に隣接する。
スプレイＯプレート（３、６）は、図１に示すように好ましくはＬＣセルの隣接する表面でＬＣ分子の配向に逆平行に配向する。内側平面Ａプレート（４、５）は、図１に示すように好ましくはＬＣセルの隣接する表面でＬＣ分子およびスプレイフィルムに垂直に配向する。
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
グローバルコピープロテクションシステムによりプロテクトされたコンテンツのローカルコピープロテクションシステムへの不法な移出を防ぐための装置であって、
移出対象の各コンテンツは、一意的識別子を備え、
該装置は、該装置を介しすでに移出されたすべてのコンテンツの一意的識別子を格納する移出テーブルを備える、
ことを特徴とする装置。
【請求項２】
グローバルコピープロテクションシステムによりプロテクトされるローカルネットワークにリンク付けされ、受け取ったコンテンツを前記グローバルコピープロテクションシステムによりプロテクトされるコンテンツに変換するよう構成される装置であって、
該装置はさらに、変換した各コンテンツに対して一意的識別子を生成するよう構成され、
前記一意的識別子は、暗号化または認証によりプロテクトされた前記コンテンツの一部に挿入される、
ことを特徴とする装置。
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
親水性表面および親水性表面上に設けられた親油性コーティングを有する支持体を含んでなる感熱性平版印刷版前駆体であって、該コーティングが
−赤外線吸収剤および
−フェノール系単量体単位のフェニル基が構造−Ｎ＝Ｎ−Ｑ［式中、−Ｎ＝Ｎ−基はフェニル基の炭素原子に共有結合されておりそしてＱは芳香族基である］を有する基により置換されているフェノール系単量体単位を含んでなる重合体
を含んでなる感熱性平版印刷版前駆体。
【請求項２】
Ｑが少なくとも１個のヘテロ原子を含んでなる請求項１に記載の平版印刷版前駆体。
【請求項３】
該へテロ原子が窒素、酸素または硫黄原子である請求項２に記載の平版印刷版前駆体。
【請求項４】
Ｑが構造−Ａ−（Ｔ）n
［式中、Ａは単環式５−もしくは６−員の芳香族基または別の環系と縮合された５−もしくは６−員の芳香族環であり、
ｎは０と芳香族基Ａ上の最大利用可能位置との間で選択される整数であり、
各Ｔ基は−ＳＯ2−ＮＨ−Ｒ1、−ＮＨ−ＳＯ2−Ｒ4、−ＣＯ−ＮＲ1−Ｒ2、−ＮＲ1−ＣＯ−Ｒ4、−ＮＲ1−ＣＯ−ＮＲ2−Ｒ3、−ＮＲ1−ＣＳ−ＮＲ2−Ｒ3、−ＮＲ1−ＣＯ−Ｏ−Ｒ1、−Ｏ−ＣＯ−ＮＲ1−Ｒ2、−Ｏ−ＣＯ−Ｒ4、−ＣＯ−Ｏ−Ｒ2、−ＣＯ−Ｒ3、−ＳＯ3−Ｒ1、−Ｏ−ＳＯ2−Ｒ4、−ＳＯ2−Ｒ1、−ＳＯ−Ｒ4、−Ｐ（＝Ｏ）（−Ｏ−Ｒ1）（−Ｏ−Ｒ2）、−Ｏ−Ｐ（＝Ｏ）（−Ｏ−Ｒ1）（−Ｏ−Ｒ2）、−ＮＲ1−Ｒ2、−Ｏ−Ｒ2、−Ｓ−Ｒ2、−Ｎ＝Ｎ−Ｒ4、−ＣＮ、−ＮＯ2、ハロゲニドまたは−Ｍ−Ｒ1から選択され、Ｍは炭素数１〜８の２価の連結基を表わし、
Ｒ1、Ｒ2およびＲ3は水素または場合により置換されていてもよいアルキル、アルケニル、アルキニル、シクロアルキル、複素環、アリール、ヘテロアリール、アラルキルもしくはヘテロアラルキル基から各々独立して選択され、
Ｒ4およびＲ5は場合により置換されていてもよいアルキル、アルケニル、アルキニル、シクロアルキル、複素環、アリール、ヘテロアリール、アラルキルまたはヘテロアラルキル基から選択され、
或いは各Ｒ1〜Ｒ5から選択される少なくとも２つの基は一緒になって環式構造を形成するのに必要な原子を表わす］
を有する請求項１、２または３に記載の平版印刷版前駆体。
【請求項５】
該コーティングが潜在的ブレンステッド酸（Ｂｒｏｅｎｓｔｅｄ  ａｃｉｄ）および酸−架橋結合可能化合物をさらに含んでなりそして該前駆体がネガ作用性平版印刷版前駆体である請求項１〜４のいずれかに記載の平版印刷版前駆体。
【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
円偏光子、直線偏光子、またはルーバー付きプラスチックフィルムである、第１の表面および第２の表面を有する基材と、
前記基材の前記第１の表面の上に堆積された無機層と、
前記無機層上に硬化性組成物をｉｎ  ｓｉｔｕ硬化させることによって形成され、４００ｎｍ〜７００ｎｍの波長範囲にわたって１．５３以下の屈折率を有し、２０ｎｍ〜２００ｎｍの厚さを有する光学活性ポリマー層と、
を含む反射防止フィルム。
【請求項２】
前記無機層が金属酸化物、窒化物、ニッケル、クロム、シリカ、またはそれらの任意の組合わせを含む、請求項１に記載の反射防止フィルム。
【請求項３】
前記ポリマー層が、フルオロアルケンから誘導された反復単位、シリコーン含有アクリレート、メタクリレート、多官能性アクリレートモノマー、またはそれらの任意の組合わせを含む、請求項１に記載の反射防止フィルム。
【請求項４】
前記ポリマー層がフルオロアルケンから誘導された反復単位およびシリコーン含有アクリレートから誘導された反復単位を含み、前記ポリマー層が前記シリコーン含有アクリレートの豊富な外側部分および前記フルオロアルケンの豊富な内側部分を有する、請求項１に記載の反射防止フィルム。
【請求項５】
前記ポリマー層がフルオロアルケンから誘導された反復単位およびメタクリレートから誘導された反復単位を含み、前記ポリマー層が前記メタクリレートの豊富な外側部分および前記フルオロアルケンの豊富な内側部分を有する、請求項１に記載の反射防止フィルム。
【請求項６】
前記基材に隣接して配置された支持層をさらに含む、請求項１に記載の反射防止フィルム。
【請求項７】
ディスプレイデバイスと、
前記ディスプレイデバイス上に配置された反射防止フィルムと、を備え、前記反射防止フィルムが、円偏光子、直線偏光子、またはルーバー付きプラスチックフィルムである、第１の表面および第２の表面を有する基材と、前記基材の前記第１の表面の上に堆積された無機層と、前記無機層上に硬化性組成物をｉｎ  ｓｉｔｕ硬化させることによって形成され、４００ｎｍ〜７００ｎｍの波長範囲にわたって１．５３以下の屈折率を有し、２０ｎｍ〜２００ｎｍの厚さを有する光学活性ポリマー層と、
を含む、光学装置。
【請求項８】
円偏光子、直線偏光子、またはルーバー付きプラスチックフィルムである、第１の表面および第２の表面を有する基材を提供する工程と、
前記基材の前記第１の表面の上に無機層を堆積させる工程と、
前記無機層の上に硬化性組成物の層を堆積させる工程と、
前記堆積された硬化性組成物を硬化させて、２０ｎｍ〜２００ｎｍの厚さおよび４００ｎｍ〜７００ｎｍの波長範囲にわたって１．５３以下の屈折率を有する光学活性ポリマー層を形成する工程と、
を含む、反射防止フィルムの製造方法。
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
体温測定装置用の温度プローブを較正するための方法であって、
上記装置とともに用いられる温度プローブの過渡的熱上昇作用の特性を明らかにする工程を備え、
上記特性を明らかにする工程は、
制御された加熱温度雰囲気において温度プローブをテストする工程と、
プローブ抵抗対時間に関し、プローブの上昇時間特性を測定する工程と、
上記上昇時間特性と、同じタイプの標準的な温度プローブのそれとを比較する工程と、
上記標準温度プローブと上記テストされた温度プローブ間において関係した較正係数を導き出す工程と、
上記装置に付随するEEPROMに得られた較正係数を格納する工程とを備えたことを特徴とする方法。
【請求項２】
上記得られた較正係数を温度予測のためのアルゴリズムに適用する工程を備えたことを特徴とする請求項１記載の方法。
【請求項３】
体温測定装置用の温度プローブを較正するための方法であって、
上記装置とともに用いられる温度プローブの予備加熱データの特性を明らかにする工程と、
上記装置に付随するEEPROMに上記特性予備加熱データを格納する工程と、
上記格納された特性データを温度を予測するためのアルゴリズムに適用する工程とを備えたことを特徴とする方法。
【請求項４】
上記格納された特定予備加熱データを、上記プローブを所定の温度に予備加熱するためのアルゴリズムに適用することを特徴とする請求項３記載の方法。
【請求項５】
上記温度プローブの予備加熱特性と標準的な温度プローブのそれとを比較し、上記適用工程より前に、該比較に基づく特性データを標準化する工程を備えたことを特徴とする請求項４記載の方法。
【請求項６】
体温測定装置用の温度プローブを較正するための方法であって、
上記装置とともに用いられる温度プローブの過渡的熱上昇作用の特性を明らかにする工程を備え、
さらに上記特性を明らかにする工程は、
制御された加熱温度雰囲気において温度プローブをテストし、上昇時間特性を測定する工程と、
上記上昇時間特性と、同じタイプの標準的な温度プローブのそれとを比較する工程と、
上記比較工程に基づいた較正係数を導き出す工程と、
各体温測定装置に付随するEEPROMに得られた較正係数を格納する工程とを備えたことを特徴とする方法。
【請求項７】
上記EEPROMは、上記テストされた温度プローブのそれぞれに設けられたことを特徴とする請求項６記載の方法。
【請求項８】
上記上昇時間特性は、経時的なプローブ抵抗の図式的表示を含むことを特徴とする請求項６記載の方法。
【請求項９】
上記プローブの過渡的熱上昇作用を標準化するために、上記テストされた温度プローブの格納された較正係数を、温度を予測するための処理アルゴリズムに適用する工程をさらに含むことを特徴とする請求項６記載の方法。
【請求項１０】
体温測定装置用の温度プローブを較正するための方法であって、
上記装置とともに用いられる温度プローブの過渡的熱上昇作用と予備加熱データの少なくとも１つの特性を明らかにする工程と、
上記特性過渡的熱上昇作用データと各プローブに付随するEEPROM上の予備加熱データの少なくとも１つを格納する工程とを備えたことを特徴とする方法。
【請求項１１】
上記特性を明らかにする工程は、上記プローブの予備加熱回路の効率を示す、上記温度プローブのプローブヒーターゲインを測定することと、上記プローブヒーターゲインと、標準プローブの同様の加熱特性のゲインとを比較すること、２つの温度上昇間におけるΔTとΔTrefとのプローブ固有比を計算することとを含み、上記プローブ固有比は上記EEPROMに格納され、上記温度プローブ端を予備加熱するためのアルゴリズムによって用いられることを特徴とする請求項１０記載の方法。
【請求項１２】
上記特性を明らかにする工程は、上記プローブ端の温度上昇曲線に沿って２つの特定の時間間隔での温度上昇率T1とT2を示す、上記温度プローブ端における温度上昇値を測定することを含み、上記プローブ固有比は、上記EEPROMに格納され、上記温度プローブの温度を予測するためのアルゴリズムによって用いられることを特徴とする請求項１０記載の方法。
【請求項１３】
上記予測アルゴリズムは、
（P×F2）+F2-(((T1+T2)×F3)−F4)であり、
F1、F2、F3、F4のそれぞれは所定の数値係数であり、Pはプローブ端温度を、T1は0.5秒温度応答を、T2は1.5秒温度応答を表すことを特徴とする請求項１２記載の方法。
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
行と列に構成された複数のメモリセル（１３４，１３６，１３８，１４０）と、前記メモリセルのうちのそれぞれが行と列の交点に配置されていることと、
複数の書き込みライン（ＷＬ）と、前記複数の書き込みラインは第１の終端及び第２の終端を有し、前記第１の終端から前記第２の終端へと流れる電流は、前記複数のメモリセル中の所定のメモリセルにデータ値を設定するために使用されることとと、
複数の書き込みデコードスイッチ（３９０〜３９５）と、前記複数の書き込みデコードスイッチは、前記複数の書き込みラインのうちの対応する１つの前記第２の終端に接続された第１の端子と、前記複数の書き込みでコードスイッチのうちのそれぞれの第２の終端に第１の共通のノードで共通して接続されている第２の端子とを有することと、
前記複数のメモリセルへの書き込みを制御するために前記第１の共通ノードに接続される出力を有する書き込み回路（３５４の４１９）と、
前記第１の共通ノードを所定の第１の電圧にプレチャージするプレチャージ回路とを備え、前記複数の書き込みラインのそれぞれの第１の終端は、所定の第２の電圧を受け取る前記第２の共通のノードで互いに結合され、前記所定の第２の電圧は、金属酸化物半導体トランジスタの閾値電圧に近い電圧だけ所定の第１の電圧と異なる、メモリ。
【請求項２】
前記プレチャージ回路は、メモリの書き込みサイクル後に前記それぞれの書き込みデコードスイッチの第２の端子を再びチャージする、請求項１記載のメモリ。
【請求項３】
前記メモリは磁気抵抗ランダムアクセスメモリである請求項１記載のメモリ。
【請求項４】
前記所定のメモリセルを２つの論理状態の間でトグル動作させることにより、前記所定のメモリセルにデータ値を格納するようにした、請求項４記載のメモリ。
【請求項５】
前記書き込み回路に接続された書き込み制御回路（３６２）をさらに有し、前記書き込み制御回路が書き込みサイクル以前に読み出し動作を開始して、現在格納されているデータ値が所定のメモリセルへの書き込みを所望するデータ値と一致する場合には、書き込みサイクルの少なくとも一部を終了させるようにした、請求項５記載のメモリ。
【請求項６】
前記複数の書き込みラインは、複数の書き込みビットラインのうちの１つの書き込みビ
ットラインが前記複数のメモリセルの１つの列に対応するようにした複数の書き込みビットラインである、請求項１記載のメモリ。
【請求項７】
前記複数の書き込みラインは、複数の書き込みワードラインのうちの１つの書き込みワードラインが前記複数のメモリセルの１つの行に対応するようにした複数の書き込みワードラインである、請求項１記載のメモリ。
【請求項８】
前記複数の書き込みラインの第１の終端は、電源電圧が供給される共通ノードにすべて接続された、請求項１記載のメモリ。
【請求項９】
複数の磁気抵抗ランダムアクセスメモリセル（３８０，３８２）を行と列に構成するメモリ（３５０）において、複数の書き込みライン（３６６〜３６８）が共通ノード（３９７）で互いに結合され、前記複数の書き込みライン（３５４）のうちの選択された書き込みラインを通じて書き込み電流（Ｉｂ）を流す書き込み回路が前記共通ノードに接続され、前記複数の磁気抵抗ランダムアクセスメモリセルの所定のメモリセルにデータ値を書き込む方法が、
前記共通ノード（３９７）を所定の電圧にプレチャージするステップ（４０２）と、
前記所定のメモリセルの読み出し動作（１２０，１２４）を開始して、前記所定のメモリセルに現在格納されているデータ値を判定するステップと、
前記所定のメモリセルに現在格納されているデータ値を所定のメモリセルに書き込むべき新しいデータ値と比較（１３０）して、前記新しいデータ値が現在格納されているデータ値と異なるかどうかを判定するステップと、
前記現在格納されているデータ値から前記新しいデータ値にトグル切替えを行なうため、前記複数の書き込みラインのうちの選択された書き込みラインに書き込み電流を流すことにより所定のメモリセルへの書き込み動作（１１６，１２８）を開始するステップとを備える、データ値を書き込むための方法。
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
システムオブジェクトに対する変更をジャーナリングする方法であって、
ｉ）システムファンクションをダミーファンクションで置換するステップと、
ｉｉ）ダミーファンクションの動作の下、前記システムファンクションを実行するステップと、
ｉｉｉ）ジャーナリングのために前記システムファンクションの実行によって変更されるシステムオブジェクトのコピーを発生させるステップと、
ｉｖ）前記ダミーファンクションの実行を完了するステップと、を含む方法。
【請求項２】
前記ダミーファンクションは、複製コーリングネームを有し、前記システムファンクションの実行に取って代わることによって前記システムファンクションを置換することを特徴とする請求項１に記載の方法。
【請求項３】
出口点は前記ダミーファンクションと協働し、出口プログラムは前記出口点に登録されていることを特徴とする請求項１又は２のいずれか１つに記載の方法。
【請求項４】
前記ダミーファンクションの動作中に前記出口プログラムは実行されることを特徴とする請求項３に記載の方法。
【請求項５】
前記システムファンクションの実行は前記出口プログラムによって処理されることを特徴とする請求項４に記載の方法。
【請求項６】
前記システムファンクションの実行によって変更される前記システムオブジェクトは、前記出口プログラムによって取り込まれることを特徴とする請求項５に記載の方法。
【請求項７】
前記出口プログラムは、前記出口プログラムによって取り込まれる前記システムオブジェクトのコピーを発生させることを特徴とする請求項６に記載の方法。
【請求項８】
前記システムファンクションの実行は、前記ダミーファンクションによって処理されることを特徴とする請求項４に記載の方法。
【請求項９】
前記システムファンクションの実行によって変更される前記システムオブジェクトは、前記ダミーファンクションによって取り込まれることを特徴とする請求項８に記載の方法。
【請求項１０】
前記出口プログラムは、前記ダミーファンクションによって取り込まれる前記システムオブジェクトのコピーを発生させことを特徴とする請求項９に記載の方法。
【請求項１１】
前記システムオブジェクトのコピーは、ディスクに保存されることを特徴とする請求項１から１０のいずれか１つに記載の方法。
【請求項１２】
前記システムオブジェクトのコピーは、ジャーナリングのためにデータベースシステムにストリームされることを特徴とする請求項１から１１のいずれか１つに記載の方法。
【請求項１３】
前記データベースシステムは、複製システムに組み込まれていることを特徴とする請求項１２に記載の方法。
【請求項１４】
前記複製システムは、前記システムオブジェクトのコピーを１又は複数のローカル又はリモートデータベースに複製することを特徴とする請求項１３に記載の方法。
【請求項１５】
前記システムファンクションによって発生させられるメッセージ又は例外は、待ち行列に取り込まれることを特徴とする請求項１から１４のいずれか１つに記載の方法。
【請求項１６】
前記システムファンクションは、最初にプロセスによって読み出され、前記メッセージ又は例外は前記ダミーファンクションによって前記プロセスに送り返されることを特徴とする請求項１５に記載の方法。
【請求項１７】
前記システムオブジェクトは、１又は複数のプログラムオブジェクト、コンフィギュレーションオブジェクト、待ち行列及び空間／メモリマップオブジェクトのセットであることを特徴とする請求項１から１６のいずれか１つに記載の方法。
【請求項１８】
変更されたシステムオブジェクトは、作成され、変更され、又は削除されているそれらのシステムオブジェクトであることを特徴とする請求項１から１７のいずれか１つに記載の方法。
【請求項１９】
前記システムファンクションは、ＯＳ／４００システムファンクションであることを特徴とする請求項１から１８のいずれか１つに記載の方法。
【請求項２０】
システムオブジェクトに対する変更をジャーナリングする方法であって、
ｉ）システムオブジェクトに対する変更が生じる間にシステムファンクションを実行するステップと、
ｉｉ）前記システムファンクションの実行中にシステムオブジェクトに対する変更をジャーナリングするステップと、含む方法。
【請求項２１】
システムオブジェクトに対する変更は、ジャーナリングコマンドを前記システムファンクションのコードに統合することによってジャーナリングされることを特徴とする請求項２０に記載の方法。
【請求項２２】
システムオブジェクトに対する変更は、出口点を前記システムファンクションと協働させて、前記システムファンクション実行中に出口プログラムを呼び出すことによってジャーナリングされることを特徴とする請求項２０に記載の方法。
【手続補正書】
【提出日】平成18年9月14日(2006.9.14)
【手続補正１】
【補正対象書類名】明細書
【補正対象項目名】００２９
【補正方法】変更
【補正の内容】
【００２９】
暗号的にセキュリティ保護された個人識別の実施形態の例は、例示的な「顔証明（Face Certification）」として、または短縮して「例示的なＦＡＣＥＣＥＲＴ」として、表される。